【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
少なくとも１つの化学式Ｉのホスホンアミドオリゴマーと、１つまたは複数のポリアミド、コポリアミドまたはそれらの組合せとを含むポリマー組成物であって、
【化１】
2018028085.tif 000001
式中、
Ｒが、Ｃ１〜Ｃ２０アルキル、または任意選択で置換されるアリール基であり、
Ｘが、芳香族または脂肪族基であり、
Ｚが
【化２】
2018028085.tif 000002
であり、
ｎが、１〜２０の整数であり、
少なくとも１つのホスホンアミドオリゴマーにおいて、Ｚが
【化３】
2018028085.tif 000003
であり、
前記ホスホンアミドオリゴマーは、前記ホスホンアミドオリゴマーの利用可能な末端基の総数を基準にして、少なくとも５０％のアミン末端基を有する、ポリマー組成物。
【請求項２】
請求項１記載の組成物において、前記組成物が２重量％〜５０重量％のホスホンアミドオリゴマーを含む、組成物。
【請求項３】
請求項１記載の組成物において、前記１つまたは複数のポリアミド、コポリアミドまたはそれらの組合せが、ポリヘキサメチレンアジパミド、ポリヘキサメチレンセバカミド、ポリカプロラクタム、およびコポリアミド６／６６、ナイロン−４、ナイロン−６、ナイロン−６，６、ナイロン−６，１０、ナイロン−６，９、ナイロン−６，１２、ナイロン−４，６、ナイロン−１２，１２、ナイロン−１１、ナイロン−１２；ｍ−キシレン、ジアミンおよびアジピン酸をベースとする芳香族ポリアミド；ヘキサメチレンジアミンおよびテレフタル酸および／またはイソテレフタル酸から調製されるポリアミドからなる群から選択される、組成物。
【請求項４】
請求項１記載の組成物であって、さらに、１つまたは複数のエラストマーを含む、組成物。
【請求項５】
請求項４記載の組成物において、前記１つまたは複数のエラストマーが、ポリ−２，４，４−トリメチルヘキサメチレン−テレフタルアミドおよびポリ−ｍ−フェニレンイソフタルアミドからなる群から選択される、組成物。
【請求項６】
請求項１記載の組成物において、前記１つまたは複数のポリアミド、コポリアミドまたはそれらの組合せが、ブロックコポリマーを含む、組成物。
【請求項７】
請求項６記載の組成物において、前記ブロックコポリマーが、ポリヘキサメチレンアジパミド、ポリヘキサメチレンセバカミド、ポリカプロラクタム、およびコポリアミド６／６６、ナイロン−４、ナイロン−６、ナイロン−６，６、ナイロン−６，１０、ナイロン−６，９、ナイロン−６，１２、ナイロン−４，６、ナイロン−１２，１２、ナイロン−１１、ナイロン−１２；ｍ−キシレン、ジアミンおよびアジピン酸をベースとする芳香族ポリアミド；ヘキサメチレンジアミンおよびテレフタル酸および／またはイソテレフタル酸から調製されるポリアミドからなる群から選択される１つまたは複数のポリアミド、コポリアミドまたはそれらの組合せ、ならびにポリオレフィン、オレフィンコポリマー、アイオノマー、化学結合エラストマーまたはグラフト化エラストマー、またはポリエーテル、ポリエチレングリコール、ポリプロピレングリコール、またはポリテトラメチレングリコール、またはそれらの組合せを含む、組成物。
【請求項８】
請求項１記載の組成物において、前記１つまたは複数のポリアミド、コポリアミドまたはそれらの組合せが、エチレンプロピレンジエンモノマー（ＥＰＤＭ）またはアクリロニトリルブタジエンスチレン（ＡＢＳ）から誘導されるモノマーをさらに含む、組成物。
【請求項９】
請求項１記載の組成物において、前記組成物が均一な組成物である、組成物。
【請求項１０】
少なくとも１つの化学式Ｉのホスホンアミドオリゴマーと、１つまたは複数のポリアミド、コポリアミドまたはそれらの組合せとを含むポリマー組成物を含む製品であって、
【化４】
2018028085.tif 000004
式中、
Ｒが、Ｃ１〜Ｃ２０アルキル、または任意選択で置換されるアリール基であり、
Ｘが、芳香族または脂肪族基であり、
Ｚが
【化５】
2018028085.tif 000005
であり、
ｎが、１〜２０の整数であり、
少なくとも１つのホスホンアミドオリゴマーにおいて、Ｚが
【化６】
2018028085.tif 000006
であり、
前記ホスホンアミドオリゴマーは、前記ホスホンアミドオリゴマーの利用可能な末端基の総数を基準にして、少なくとも５０％のアミン末端基を有する、製品。
【請求項１１】
請求項１０記載の製品において、前記製品が、自立型フィルムおよびシート、繊維、発泡体、成形品、被覆基板、接着剤、および繊維強化複合材からなる群から選択される、製品。
【請求項１２】
請求項１０記載の製品において、前記製品が、電子機器、自動車部品、衣類または室内装備品を作製するのに使用される布帛、カーペット繊維、衣料、室内装飾材料、エアバッグ、タイヤ、コンベヤベルト、およびホースから選択される、製品。
【請求項１３】
少なくとも１つの化学式ＩＩのホスホンアミドオリゴマーと、１つまたは複数のポリアミド、コポリアミドまたはそれらの組合せとを含むポリマー組成物であって、
【化７】
2018028085.tif 000007
式中、
Ｒ１、Ｒ２、Ｒ３、Ｒ４、およびＲ５の夫々が、独立してＣ１〜Ｃ２０アルキル、または任意選択で置換されるアリール基であり、
Ｘ１、Ｘ２、Ｘ３、およびＸ４の夫々が、独立して芳香族、シクロアルキル、または脂肪族基であり、
ｎおよびｍが、０〜２０の整数であり、
Ｚが
【化８】
2018028085.tif 000008
であり、
ｎが、１〜２０の整数であり、
少なくとも１つのホスホンアミドオリゴマーにおいて、Ｚが
【化９】
2018028085.tif 000009
であり、
前記ホスホンアミドオリゴマーは、前記ホスホンアミドオリゴマーの利用可能な末端基の総数を基準にして、少なくとも５０％のアミン末端基を有する、ポリマー組成物。
【請求項１４】
請求項１３記載の組成物において、前記組成物が２重量％〜５０重量％のホスホンアミドオリゴマーを含む、組成物。
【請求項１５】
請求項１３記載の組成物において、前記１つまたは複数のポリアミド、コポリアミドまたはそれらの組合せが、ポリヘキサメチレンアジパミド、ポリヘキサメチレンセバカミド、ポリカプロラクタム、およびコポリアミド６／６６、ナイロン−４、ナイロン−６、ナイロン−６，６、ナイロン−６，１０、ナイロン−６，９、ナイロン−６，１２、ナイロン−４，６、ナイロン−１２，１２、ナイロン−１１、ナイロン−１２；ｍ−キシレン、ジアミンおよびアジピン酸をベースとする芳香族ポリアミド；ヘキサメチレンジアミンおよびテレフタル酸および／またはイソテレフタル酸から調製されるポリアミドからなる群から選択される、組成物。
【請求項１６】
請求項１３記載の組成物であって、さらに、１つまたは複数のエラストマーを含む、組成物。
【請求項１７】
請求項１６記載の組成物において、前記１つまたは複数のエラストマーが、ポリ−２，４，４−トリメチルヘキサメチレン−テレフタルアミドおよびポリ−ｍ−フェニレンイソフタルアミドからなる群から選択される、組成物。
【請求項１８】
請求項１３記載の組成物において、前記１つまたは複数のポリアミド、コポリアミドまたはそれらの組合せが、ブロックコポリマーを含む、組成物。
【請求項１９】
請求項１８記載の組成物において、前記ブロックコポリマーが、ポリヘキサメチレンアジパミド、ポリヘキサメチレンセバカミド、ポリカプロラクタム、およびコポリアミド６／６６、ナイロン−４、ナイロン−６、ナイロン−６，６、ナイロン−６，１０、ナイロン−６，９、ナイロン−６，１２、ナイロン−４，６、ナイロン−１２，１２、ナイロン−１１、ナイロン−１２；ｍ−キシレン、ジアミンおよびアジピン酸をベースとする芳香族ポリアミド；ヘキサメチレンジアミンおよびテレフタル酸および／またはイソテレフタル酸から調製されるポリアミドからなる群から選択される１つまたは複数のポリアミド、コポリアミドまたはそれらの組合せ、ならびにポリオレフィン、オレフィンコポリマー、アイオノマー、化学結合エラストマーまたはグラフト化エラストマー、またはポリエーテル、ポリエチレングリコール、ポリプロピレングリコール、またはポリテトラメチレングリコール、またはそれらの組合せを含む、組成物。
【請求項２０】
請求項１３記載の組成物において、前記１つまたは複数のポリアミド、コポリアミドまたはそれらの組合せが、エチレンプロピレンジエンモノマー（ＥＰＤＭ）またはアクリロニトリルブタジエンスチレン（ＡＢＳ）から誘導されるモノマーをさらに含む、組成物。
【請求項２１】
請求項１３記載の組成物において、前記組成物が均一な組成物である、組成物。
【請求項２２】
少なくとも１つの化学式ＩＩのホスホンアミドオリゴマーと、１つまたは複数のポリアミド、コポリアミドまたはそれらの組合せとを含むポリマー組成物を含む製品であって、
【化１０】
2018028085.tif 000010
式中、
Ｒ１、Ｒ２、Ｒ３、Ｒ４、およびＲ５の夫々が、独立してＣ１〜Ｃ２０アルキル、または任意選択で置換されるアリール基であり、
Ｘ１、Ｘ２、Ｘ３、およびＸ４の夫々が、独立して芳香族、シクロアルキル、または脂肪族基であり、
ｎおよびｍが、０〜２０の整数であり、
Ｚが
【化１１】
2018028085.tif 000011
であり、
ｎが、１〜２０の整数であり、
少なくとも１つのホスホンアミドオリゴマーにおいて、Ｚが
【化１２】
2018028085.tif 000012
であり、
前記ホスホンアミドオリゴマーは、前記ホスホンアミドオリゴマーの利用可能な末端基の総数を基準にして、少なくとも５０％のアミン末端基を有する、製品。
【請求項２３】
請求項２２記載の製品において、前記製品が、自立型フィルムおよびシート、繊維、発泡体、成形品、被覆基板、接着剤、および繊維強化複合材から成る群から選択される、製品。
【請求項２４】
請求項２２記載の製品において、前記製品が、電子機器、自動車部品、衣類または室内装備品を作製するのに使用される布帛、カーペット繊維、衣料、室内装飾材料、エアバッグ、タイヤ、コンベヤベルト、およびホースから選択される、製品。